【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】  
【請求項１】
記録媒体上に画像を形成する際に、濃度補正テーブルを参照して画像情報の濃度レベルを補正する画像形成装置の制御方法であって、
第１の濃度補正テーブルを作成する第１のテーブル作成工程と、
前記画像形成装置内において第１のパターンを形成し、センサによって測定した該第１のパターンの濃度値に基づいて、前記第１の濃度補正テーブルを補正するテーブル補正工程と、
前記画像形成装置内において第２のパターンを形成し、前記センサによって測定した該第２のパターンの濃度値に基づいて、第２の濃度補正テーブルを作成する第２のテーブル作成工程と、
を有し、前記テーブル補正工程と前記第２のテーブル作成工程のいずれかを選択的に実行することを特徴とする画像形成装置の制御方法。
【請求項２】
前記第１のパターンは、中間調濃度レベルを含む複数の濃度レベルのパッチパターンを有し、前記第２のパターンは、前記第１のパターンよりも多くの濃度レベルのパッチパターンを有することを特徴とする請求項１記載の画像形成装置の制御方法。
【請求項３】
前記第１のパターンは、同一の濃度レベルのパッチパターンを複数有し、前記テーブル補正工程においては、前記センサによる同一の濃度レベルの複数のパッチパターンの測定値の平均値を濃度値とすることを特徴とする請求項２記載の画像形成装置の制御方法。
【請求項４】
前記第１のテーブル作成工程によって前記第１の濃度補正テーブルが既に作成されていれば前記テーブル補正工程を実行し、前記第１の濃度補正テーブルが作成されていなければ前記第２のテーブル作成工程を実行することを特徴とする請求項３記載の画像形成装置の制御方法。
【請求項５】
前記テーブル補正工程は、
該工程が前記第１のテーブル作成工程の実行後における第１回目の実行であれば、前記センサによる前記第１のパターンの測定値に基づいて前記センサの基準値を設定する基準値設定工程と、
該工程が前記第１のテーブル作成工程の実行後における第２回目以降の実行であれば、前記センサによる前記第１のパターンの測定値及び前記センサの基準値に基づいて前記第１の濃度補正テーブルを補正する第１のテーブル補正工程と、
を有することを特徴とする請求項４記載の画像形成装置の制御方法。
【請求項６】
前記第１のテーブル作成工程は、
第３のパターンを記録媒体上に印刷するパターン印刷工程と、
該記録媒体をスキャナで読み込むことによって前記第３のパターンの濃度値を示すスキャナ測定値を得るスキャナ測定工程と、
前記スキャナ測定値に基づいて前記第１の濃度補正テーブルを作成する作成工程と、
を有することを特徴とする請求項４記載の画像形成装置の制御方法。
【請求項７】
記録媒体上に画像を形成する際に、濃度補正テーブルを参照して画像情報の濃度レベルを補正する画像形成装置の制御プログラムを記録した記録媒体であって、該制御プログラムは少なくとも、
前記第１の濃度補正テーブルを作成する第１のテーブル作成工程のコードと、
前記画像形成装置内において第１のパターンを形成し、センサによって測定した該第１のパターンの濃度値に基づいて、前記第１の濃度補正テーブルを補正するテーブル補正工程のコードと、
前記画像形成装置内において第２のパターンを形成し、前記センサによって測定した該第２のパターンの濃度値に基づいて、第２の濃度補正テーブルを作成する第２のテーブル作成工程のコードと、
前記テーブル補正工程と前記第２のテーブル作成工程のいずれかを選択的に実行するためのコードと、
を有することを特徴とする記録媒体。
【請求項８】
記録媒体上に画像を形成する際に、濃度補正テーブルを参照して画像情報の濃度レベルを補正する画像形成装置であって、
第１の濃度補正テーブルを作成する第１のテーブル作成手段と、
前記画像形成装置内において中間調濃度レベルを含む複数の濃度レベルのパッチパターンを有し同一の濃度レベルのパッチパターンを複数有する第１のパターンを形成し、センサによって測定した該第１のパターンの同一の濃度レベルのパッチパターンの測定値の平均値として決定される濃度値に基づいて、前記第１の濃度補正テーブルを補正するテーブル補正手段と、
前記画像形成装置内において前記第１のパターンよりも多くの濃度レベルのパッチパターンを有する第２のパターンを形成し、前記センサによって測定した該第２のパターンの濃度値に基づいて、第２の濃度補正テーブルを作成する第２のテーブル作成手段と、
を有し、
前記第１のテーブル作成手段によって前記第１の濃度補正テーブルが既に作成されていれば前記テーブル補正手段を実行し、前記第１の濃度補正テーブルが作成されていなければ前記第２のテーブル作成手段を実行することを特徴とする画像形成装置。
【手続補正２】
【補正対象書類名】明細書
【補正対象項目名】００１３
【補正方法】変更
【補正の内容】
【００１３】
記録媒体上に画像を形成する際に、濃度補正テーブルを参照して画像情報の濃度レベルを補正する画像形成装置の制御方法であって、第１の濃度補正テーブルを作成する第１のテーブル作成工程と、前記画像形成装置内において第１のパターンを形成し、センサによって測定した該第１のパターンの濃度値に基づいて、前記第１の濃度補正テーブルを補正するテーブル補正工程と、前記画像形成装置内において第２のパターンを形成し、前記センサによって測定した該第２のパターンの濃度値に基づいて、第２の濃度補正テーブルを作成する第２のテーブル作成工程と、を有し、前記テーブル補正工程と前記第２のテーブル作成工程のいずれかを選択的に実行することを特徴とする。
【手続補正３】
【補正対象書類名】明細書
【補正対象項目名】００１４
【補正方法】変更
【補正の内容】
【００１４】
上記目的を達成するための一手段として、本発明における記録媒体に記録された画像形成装置の制御プログラムは以下のコードを備える。
【手続補正４】
【補正対象書類名】明細書
【補正対象項目名】００１５
【補正方法】変更
【補正の内容】
【００１５】
記録媒体上に画像を形成する際に、濃度補正テーブルを参照して画像情報の濃度レベルを補正する画像形成装置の制御プログラムを記録した記録媒体であって、該制御プログラムは少なくとも、前記第１の濃度補正テーブルを作成する第１のテーブル作成工程のコードと、前記画像形成装置内において第１のパターンを形成し、センサによって測定した該第１のパターンの濃度値に基づいて、前記第１の濃度補正テーブルを補正するテーブル補正工程のコードと、前記画像形成装置内において第２のパターンを形成し、前記センサによって測定した該第２のパターンの濃度値に基づいて、第２の濃度補正テーブルを作成する第２のテーブル作成工程のコードと、前記テーブル補正工程と前記第２のテーブル作成工程のいずれかを選択的に実行するためのコードと、を有することを特徴とする。
【手続補正５】
【補正対象書類名】明細書
【補正対象項目名】００１６
【補正方法】変更
【補正の内容】
【００１６】
上記目的を達成するための一手段として、本発明における画像形成装置は以下の構成を備える。
【手続補正６】
【補正対象書類名】明細書
【補正対象項目名】００１７
【補正方法】変更
【補正の内容】
【００１７】
記録媒体上に画像を形成する際に、濃度補正テーブルを参照して画像情報の濃度レベルを補正する画像形成装置であって、第１の濃度補正テーブルを作成する第１のテーブル作成手段と、前記画像形成装置内において中間調濃度レベルを含む複数の濃度レベルのパッチパターンを有し同一の濃度レベルのパッチパターンを複数有する第１のパターンを形成し、センサによって測定した該第１のパターンの同一の濃度レベルのパッチパターンの測定値の平均値として決定される濃度値に基づいて、前記第１の濃度補正テーブルを補正するテーブル補正手段と、前記画像形成装置内において前記第１のパターンよりも多くの濃度レベルのパッチパターンを有する第２のパターンを形成し、前記センサによって測定した該第２のパターンの濃度値に基づいて、第２の濃度補正テーブルを作成する第２のテーブル作成手段と、を有し、前記第１のテーブル作成手段によって前記第１の濃度補正テーブルが既に作成されていれば前記テーブル補正手段を実行し、前記第１の濃度補正テーブルが作成されていなければ前記第２のテーブル作成手段を実行することを特徴とする。